(57)【特許請求の範囲】
【請求項１】
シリンジ、プランジャロッド、ニードルシート、ニードルキャップ、嵌管を具えた安全注射器構造であり、
該シリンジは、シリンジ本体より小径の上端のニードルハブの上端開口内側に内向きに斜めに突出する内凸縁を具え、該内凸縁が下方のニードルハブ内壁面との間に肩部を形成し、該肩部より下は、上が大きく下が小さいテーパ内壁とされ、
該プランジャロッドは、該シリンジ内に挿入され、その上部にピストンが設けられ、並びにピストンの上端に円錐弁が設けられ、円錐弁に溝が設けられ、
該ニードルシートは、上端にニードルが組付けられ、該ニードルシートの外側面に肩部が設けられ、肩部より下の位置に径方向に貫通する嵌合孔が設けられ、
該ニードルキャップは、外周底端に環状のフランジが設けられ、該フランジより上の外壁面に円錐面が形成され、該ニードルキャップの内壁に肩部が形成され、
該嵌管は、中空管体とされ、内壁上部に上テーパ面が形成され、内壁下部に上テーパ面より内径が大きい下テーパ面が形成され、上テーパ面と下テーパ面の間に肩部が形成され、
ニードルシート及びニードルがニードルキャップに挿入され、ニードルシートの上端がニードルキャップの肩部に位置決めされ、嵌管がニードルキャップの上方より嵌合されてニードルキャップのフランジが嵌管内壁の肩部に当接させられ、ニードルキャップのフランジの上の円錐面、フランジ外周面がそれぞれ嵌管の上テーパ面、下テーパ面と当接状態を呈し、位置決めを形成し、嵌管の内部にニードルシートが嵌合され、外界と完全に隔離され、嵌管の下テーパ面の底端がシリンジのニードルハブの外側に嵌合され、ニードルシートの底端がシリンジのニードルハブの内凸縁に係止され、ニードルシートの上端がニードルキャップの内壁の肩部に当接してニードルキャップがシリンジの上方に位置することを特徴とする、ニードルシート引き戻し式安全注射器構造。
【請求項２】
請求項１記載のニードルシート引き戻し式安全注射器構造において、前記嵌管の肩部の下方に方形孔が設けられ、該方形孔の下端に凸塊が設けられ、ニードルキャップのフランジに該凸塊に対応する切欠きが設けられ、嵌管がニードルキャップ外側に嵌合され、ニードルキャップのフランジがその切欠きにより嵌管の凸塊を通過した後に、ニードルキャップが回されてフランジ下端面が凸塊上端面に当接させられることにより、ニードルキャップに対する誤圧を防止することを特徴とする、請求項１に記載のニードルシート引き戻し式安全注射器構造。
【請求項３】
請求項２記載のニードルシート引き戻し式安全注射器構造において、嵌管の凸塊の一側が上向きに延伸されてストッパブロックが形成され、ニードルキャップ底縁の過度の回転を防止することを特徴とする、ニードルシート引き戻し式安全注射器構造。
【発明の詳細な説明】
【０００１】
【発明の属する技術分野】
本発明はニードルシート引き戻し式安全注射器構造に関する。
【０００２】
【従来の技術】
伝統的な注射器は注射後に、消毒されて重複使用され、このため、消毒プロセスの不当或いは不完全により、病原菌の感染をもたらした。ゆえに、業者は使い捨て注射器を開発した。それは伝統的な注射器の重複使用による感染の問題を解決したが、廃棄されるシリンジ、ニードルに防護措置がないため、別の伝染或いは傷害を形成した。ゆえに、現段階の業者は注射後にニードルシートをシリンジ内に引き戻すことのできる注射器の構造を提供し、それはニードルシートを注射完了後にシリンジ内に置き、注射針による医療関係者や掃除スタッフの怪我を防止する。そのうち、例えば米国特許第５５６９２０３号及び第５８９９８８７号は、図１２、１３に示されるように、いずれも一種のニードルシート引き戻し式安全注射器構造の設計であり、それは周知の注射器の欠点を解決しているが、しかし却ってニードルシートを緊迫式にシリンジ内に固定するため、高温殺菌時に応力変形を発生し、気密度が不十分となり残余薬液を排除できなくなり、ニードルシート引き出しが順調でなくなる問題を発生した。
【０００３】
【発明が解決しようとする課題】
本発明は一種のニードルシート引き戻し式安全注射器構造を提供し、それは注射器の高温殺菌後に変形を発生せず、且つ使用時に気密度を保持し、ニードルシート引き戻し時に順調である構造であるものとする。
【０００４】
前述の注射器の構造は、ニードルキャップに嵌管が套設され、嵌管に肩部が設けられて、ニードルシートの使用前に、シリンジと分離した未結合状態を保持して、高温殺菌後の結合時の応力変形の発生を防止し、使用時に、ニードルキャップの下圧により、ニードルシートを下に移動させてシリンジに嵌合させ、さらにニードルキャップ、嵌管を合わせて取り出せる。
【０００５】
前述の注射器構造は、嵌管内縁に凸塊が設けられ、ニードルキャップの底縁に当接し、これにより使用前の誤圧を防止する。
【０００６】
前述のニードルキャップの構造は、ニードルキャップ内縁に位置決め縁が設けられ、針を固定位置に収容し、ニードルキャップを圧迫してシリンジと結合させる時、ニードルシートが正確にシリンジの縮頸縁に位置決め嵌合される。
【０００７】
前述の注射器の構造は、シリンジとニードルシート嵌合後にニードルシートが嵌入後にニードルシート肩部とシリンジ肩部が相互に嵌合し、気密面を形成し、絶対気密の要求を達成する。
【０００８】
前述の注射器の構造は、シリンジ内のプランジャロッド前端の円錐弁に溝が設けられ、それがニードルシートの嵌合孔に嵌入する時、ニードルシート内の残余の薬液を排除し、ニードルシートの嵌合孔との結合がさらに平滑順調で、ニードルシートの引き戻しに便利である。
【０００９】
【課題を解決するための手段】
請求項１の発明は、シリンジ、プランジャロッド、ニードルシート、ニードルキャップ、嵌管を具えた安全注射器構造であり、
該シリンジは、シリンジ本体より小径の上端のニードルハブの上端開口内側に内向きに斜めに突出する内凸縁を具え、該内凸縁が下方のニードルハブ内壁面との間に肩部を形成し、該肩部より下は、上が大きく下が小さいテーパ内壁とされ、
該プランジャロッドは、該シリンジ内に挿入され、その上部にピストンが設けられ、並びにピストンの上端に円錐弁が設けられ、円錐弁に溝が設けられ、
該ニードルシートは、上端にニードルが組付けられ、該ニードルシートの外側面に肩部が設けられ、肩部より下の位置に径方向に貫通する嵌合孔が設けられ、
該ニードルキャップは、外周底端に環状のフランジが設けられ、該フランジより上の外壁面に円錐面が形成され、該ニードルキャップの内壁に肩部が形成され、
該嵌管は、中空管体とされ、内壁上部に上テーパ面が形成され、内壁下部に上テーパ面より内径が大きい下テーパ面が形成され、上テーパ面と下テーパ面の間に肩部が形成され、
ニードルシート及びニードルがニードルキャップに挿入され、ニードルシートの上端がニードルキャップの肩部に位置決めされ、嵌管がニードルキャップの上方より嵌合されてニードルキャップのフランジが嵌管内壁の肩部に当接させられ、ニードルキャップのフランジの上の円錐面、フランジ外周面がそれぞれ嵌管の上テーパ面、下テーパ面と当接状態を呈し、位置決めを形成し、嵌管の内部にニードルシートが嵌合され、外界と完全に隔離され、嵌管の下テーパ面の底端がシリンジのニードルハブの外側に嵌合され、ニードルシートの底端がシリンジのニードルハブの内凸縁に係止され、ニードルシートの上端がニードルキャップの内壁の肩部に当接してニードルキャップがシリンジの上方に位置することを特徴とする、ニードルシート引き戻し式安全注射器構造としている。
請求項２の発明は、請求項１記載のニードルシート引き戻し式安全注射器構造において、前記嵌管の肩部の下方に方形孔が設けられ、該方形孔の下端に凸塊が設けられ、ニードルキャップのフランジに該凸塊に対応する切欠きが設けられ、嵌管がニードルキャップ外側に嵌合され、ニードルキャップのフランジがその切欠きにより嵌管の凸塊を通過した後に、ニードルキャップが回されてフランジ下端面が凸塊上端面に当接させられることにより、ニードルキャップに対する誤圧を防止することを特徴とする、請求項１に記載のニードルシート引き戻し式安全注射器構造としている。
請求項３の発明は、請求項２記載のニードルシート引き戻し式安全注射器構造において、嵌管の凸塊の一側が上向きに延伸されてストッパブロックが形成され、ニードルキャップ底縁の過度の回転を防止することを特徴とする、ニードルシート引き戻し式安全注射器構造としている。
【００１０】
【発明の実施の形態】
図１、２に示されるように、本発明は、シリンジ１、プランジャロッド２、ニードルシート３、ニードルキャップ４、及び嵌管５で構成されている。そのうち、シリンジ１の上端のニードルハブは上端の開口内側に内向きに斜めに突出する内凸縁１１を具え、該内凸縁１１の下端とニードルハブの内壁面との間に肩部１３が形成され、該肩部１３の下に、上が大きく下が小さいテーパ内壁１２が形成されている。プランジャロッド２は棒体とされ、その上方にピストン２１が形成され、ピストン２１の上端に円錐弁２２が設けられ、円錐弁２２に溝２３が設けられている。ニードルシート３にニードル３１が組付けられ、ニードルシート３の外側面に肩部３２が設けられ、該肩部３２より下の位置に、径方向に貫通する嵌合孔３３が設けられ、且つニードルシート３の肩部３２の下は、上が大きく下が小さい錐状とされている。
【００１１】
該ニードルキャップ４はその下端外周に環状のフランジ４２が設けられ、該ニードルキャップ４の内壁に肩部４３が設けられ、該肩部４３より下に円錐面４１が形成されている。該嵌管５は中空管体とされ、その内壁に上方の上テーパ面５１と、その下方の下テーパ面５２が設けられて、該上テーパ面５１と下テーパ面５２の間に肩部５３が形成されている。
【００１２】
前述の部品が組み合わされる時、図３に示されるように、ニードルシート３及びニードル３１が先にニードルキャップ４に挿入され、ニードルキャップ４の内壁とニードルシート３の肩部３２より上の部分の外壁の圧接により、ニードルシート３の上端が肩部４３に位置決めされ、ニードルシート３とニードルキャップ４の組み合わせが完成し、さらに嵌管５がニードルキャップ４の上方より嵌合されてフランジ４２と嵌合され、フランジ４２が嵌管５内壁の肩部５３の下に位置し、ニードルキャップ４の円錐面４１、フランジ４２外周面がそれぞれ嵌管５の上テーパ面５１、下テーパ面５２と当接状態を呈し、位置決めを形成し、嵌管５の内部にニードルシート３が完全に嵌合されて、外界と完全に隔離され、接触汚染が防止され、さらに嵌管５の下テーパ面５２の底端がシリンジ１のニードルハブの外側に嵌合され、これによりニードルシート３がシリンジの上方に位置決めされ、注射器が高温滅菌処理される時、応力の発生と材質の高温変形が防止される。
【００１３】
図４に示されるように、本発明を使用する時は、ニードルキャップ４を上端より押圧すると、ニードルキャップ４がニードルシート３を押圧し、ニードルシート３の肩部３２が下に移動してニードルハブ内壁の肩部１３と当接し、ニードルシート３がシリンジ１前端より退出不能とされ、ニードルキャップ４のフランジ底端がちょうどシリンジ１の上端の内凸縁１１に当接し、ニードルシート３が最も適当な位置に位置決めされ、且つニードルシート３の肩部３２より下の部分の外壁とシリンジ１のテーパ内壁１２が相互に圧迫固定され、気密面３４を形成し、さらに両者の長さ、傾斜率が組み合わされて、自然にある一点でもう一つの気密面３５が形成され、二箇所の緊迫点を達成し、完全に強固で気密の効果を達成し、注射の準備状態を形成する。嵌管５が上向きに引き抜かれる時、ニードルキャップ４が一体に引き抜かれ、注射前の組み合わせ完成状態が完成する。
【００１４】
図５、６、７、８に示されるように、本発明は安全誤圧防止構造を提供し、そのうち、嵌管５の肩部５３の下方に二つの対称な方形孔５４が設けられ、方形孔５４の下に凸塊５５が設けられ、該凸塊５５にニードルキャップ４の底端のフランジ４２に対応する形状、大きさの切欠きが設けられる。ニードルキャップ４が嵌管５の下から挿入され、そのフランジ４２が凸塊５５の切欠きを通過してフランジ４２下面が嵌管５の凸塊５５上面に当接する時、ニードルキャップ４が下圧不能となり、誤圧防止する。また、該凸塊５５より上向きにストッパブロック５６が延伸形成され、ニードルキャップ４のフランジ４２が回転位置決めされる時、ストッパブロック５６の阻止を受けて位置決めされ過度に誤って回されるのを防止する。
【００１５】
図９に示されるように、使用時には、ニードルキャップ４を反対方向に回してフランジ４２に凸塊５５を離脱させ、さらにニードルキャップ４を下圧すれば、ニードルシート３とシリンジ１を相互に組み合わせることができる。
【００１６】
図１０に示されるように、本発明は注射時に、プランジャロッド２が前に押され、ピストン２１により薬液を押し出し、円錐弁２２がニードルシート３の嵌合孔３３に至るとき、シリンジ１内に存在する薬液が、内部の水抵抗を形成し、ゆえに円錐弁２２に設けられた溝２３が、ニードルシート３内部の残余の薬液を底部に戻し、これによりプランジャロッド２が密閉された水圧力による抵抗を受けず、順調に最後まで押され、円錐弁２２と嵌合孔３３が順調に結合し、且つ押圧力過大により薬液がニードル３１より噴出する欠点を防止する。注射完了時には、図１１に示されるように、プランジャロッド２を後方に引けば、ニードルシート３がテーパ内壁１２より離脱し、ニードルシート３及びニードル３１がシリンジ１内に退く。
【００１７】
【発明の効果】
本発明は、ニードルキャップ、ニードルシート、ニードルキャップに嵌められた嵌管によりニードルシートとシリンジのニードルハブが使用前に分離状態に保持され、高温滅菌処理時に、シリンジとニードルシート受熱時の緊迫結合時の応力変化後の変形を発生させず、高温滅菌後の結合後に強固な結合と気密を保持し、シリンジのニードルシートとの結合部分であるニードルハブにテーパ内壁が設けられ、ニードルシート嵌入後にニードルシートの外壁の円錐面と該ニードルハブのテーパ内壁とが相互に嵌合し、気密を達成し、ニードルキャップの肩部にニードルシート上端が当接してニードルシートのニードルハブ内での正確な位置決め嵌合を確保し、シリンジ内のプランジャロッド前端の円錐弁に溝が設けられ、ニードルシートの嵌合孔に嵌入される時、ニードルシート内の残余の薬液を排除する。
【図面の簡単な説明】
【図１】本発明の分解斜視図である。
【図２】本発明の嵌管の断面図である。
【図３】本発明の嵌管の使用実施例図である。
【図４】本発明の嵌管の使用実施例図である。
【図５】本発明のもう一つの実施例の分解斜視図である。
【図６】図５の嵌管の断面図である。
【図７】図５の嵌管の断面図である。
【図８】本発明の嵌管のもう一つの実施例の使用表示図である。
【図９】本発明の嵌管のもう一つの実施例の使用表示図である。
【図１０】本発明のプランジャロッドとニードルシートの嵌合表示図である。
【図１１】本発明のニードルシート引き戻し状態表示図である。
【図１２】周知の注射器の構造表示図である。
【図１３】周知の注射器の構造表示図である。
【符号の説明】
１  シリンジ            １１  内凸縁
１２  テーパ内壁        １３  肩部
２  プランジャロッド    ２１  ピストン
２２  円錐弁            ２３  溝
３  ニードルシート      ３１  ニードル
３２  肩部              ３３  嵌合孔
３４、３５  気密面      ４  ニードルキャップ
４１  テーパ面          ４２  フランジ
４３  肩部              ５  嵌管
５１  上テーパ面        ５２  下テーパ面
５３  肩部              ５４  方形孔
５５  凸塊              ５６  ストッパブロック
【図１】
0003623937.tif 000002
【図２】
0003623937.tif 000003
【図３】
0003623937.tif 000004
【図４】
0003623937.tif 000005
【図５】
0003623937.tif 000006
【図６】
0003623937.tif 000007
【図７】
0003623937.tif 000008
【図８】
0003623937.tif 000009
【図９】
0003623937.tif 000010
【図１０】
0003623937.tif 000011
【図１１】
0003623937.tif 000012
【図１２】
0003623937.tif 000013
【図１３】
0003623937.tif 000014